(57)【要約】【課題】本考案は紐の抜け止め金具に関し、衣服の襟元を開閉するとか、脇やウェストの幅を広狭調節する紐の先端部外周に取付けたり、襟元を飾るループタイの先端部外周に取付けられ、その重錘機能により紐の先端部を垂れ下げて抜けを防止し、装飾性に優れる。【解決手段】筒状の抜止め金具本体１と、紐挿入孔２内に嵌脱可能に挿入される可撓脚部４,４とを備え、前記紐挿入孔の他端側から挿入される紐３を前記可撓脚部が挟着し、前記可撓脚部が、鍔付きのキャップ部５を設け、先端側には抜止め金具本体内への挿入時に、紐挿入孔の内周壁面６にて半径方向Ｒに縮径され、紐の先端部３ａの外周に食い込む係止爪４ａ,４ａを設けた。【選択図】図１
0003134101.tif 000002
【実用新案登録請求の範囲】
【請求項１】
筒状の抜止め金具本体と、
該抜止め金具本体の取付側の一端に臨まれる紐挿入孔内に嵌脱可能に挿入される対向した可撓脚部とを備え、
前記抜止め金具本体の前記紐挿入孔の他端側から挿入される紐を前記可撓脚部が挟着し、
前記可撓脚部が、取付側の一端に臨まれる前記紐挿入孔内に嵌脱可能な鍔付きのキャップ部を基端側に有し、その先端側には前記抜止め金具本体内への挿入時に、該抜止め金具本体の内周壁面の押圧にて半径方向に縮径し、前記紐挿入孔の他端から挿入される紐の先端部外周に係脱可能に食い込む係止爪を内側に向けて有していることを特徴とする、
紐の抜け止め金具。
【請求項２】
前記内周壁面が、前記抜止め金具本体の内周に、一端側、および他端側から軸長方向の略中間に向かって次第に勾配が増大して前記抜止め金具本体の前記可撓脚部が摩擦係合可能に全体が略山形の斜面部に形成されたことを特徴とする請求項１記載の紐の抜け止め金具。
【請求項３】
前記抜止め金具本体が、その外形は円筒形、または、三角形、四角形、五角形、六角形、八角形等の多角形の何れかに形成され、前記紐挿入孔は横断面略円形に形成されることを特徴とする請求項１または２記載の紐の抜け止め金具。
【請求項４】
前記抜止め金具本体が、その外形は横断面ロ形に形成され、前記紐挿入孔は横断面が平紐を挿入可能に横断面がロ形に形成されることを特徴とする請求項１または２記載の紐の抜け止め金具。
【請求項５】
前記キャップ部が、前記可撓脚部の上端相互を連結する連結片部に小径な取付首部が嵌着されて取り付けられることを特徴とする請求項１−４の何れかに記載の紐の抜け止め金具。
【考案の詳細な説明】
【技術分野】
【０００１】
本考案は紐の抜け止め金具に関し、例えば衣服の襟元を開閉するとか、脇やウェストの幅を広狭調節したりするのに用いる紐の先端部外周に取付けられたり、襟元を飾るためのループタイの先端部外周に取付けられることにより、その加重による重錘機能により紐の先端部を垂れ下げて抜けを防止し、装飾性にも優れたものにするものである。
【背景技術】
【０００２】
従来、例えばループタイの紐体の両端に取付けられることによって重しと、装飾を兼ねた紐の抜け止め体として筒状の金具を紐の先端部に嵌着させるものがあった（例えば特許文献１参照）。
【特許文献１】特開平９−２５００１４号公報
【考案の開示】
【考案が解決しようとする課題】
【０００３】
しかしながら、特許文献１に記載の上記従来の紐の抜け止め体は、筒状の金具を紐体の両端に嵌着するので、抜け止め体を紐の両端に取り付けるのには、先ず紐体の両端に粘着テープを捲回することにより紐の繊維の解れを防止するのと、紐体を抜け止め体内に挿入するための挿入作業を円滑に行うようにする。そして、接着剤を塗布して紐体の両端を抜け止め体内に挿入し、その後、接着剤を固化させることにより、紐体の両端に抜け止め体を取り付けるものであるので、前述の紐体の両端への粘着テープの捲回工程、接着剤の塗布工程等、取付工程のように工程数が多くなり、しかも、紐体の両端に抜け止め体を取り付けるのに接着剤が固化するのに多くの時間を要するため、取付時の作業効率が低いものであった。
【０００４】
また、特許文献１に記載の上記従来の紐の抜け止め体は、抜け止め体としての筒状の金具内に設けた紐挿入孔の下端は開口されて露呈されたたままなので、上述のように紐挿入孔内に挿入されて取付けられた紐が、下方より見え、外観的に不体裁であったり、ゴミが紐挿入孔内に侵入し易いという欠点があった。しかも、長期間の使用により紐を形成する繊維の解れが抜け止め体の外部に露出し、繊維が疲労により摩耗したり、接着剤が劣化することによって結局、紐に取付けた抜け止め体が、紐から抜け落ちるという欠点があった。
【０００５】
本考案は、上記欠点に鑑みなされたものであり、抜止め金具本体内への紐の挿入、取付作業が短時間のうちに作業効率良く、確実に行え、また、紐挿入孔内に挿入されて取付けられる紐が、下方より見えるという、外観的な不体裁がなく、デザイン的な装飾性に優れ、しかも、ゴミが侵入し易かったり、長期間の使用により紐を形成する繊維の解れが抜止め金具本体の外部に露出することがなく構造堅牢に抜け止め体を取付けることができ、さらには、製作、加工が容易で製作コストが安価であり、構造堅牢な紐の抜け止め金具を提供することを目的とする。
【課題を解決するための手段】
【０００６】
本考案は上記課題に鑑みなされ、請求項１に記載の考案は、
筒状の抜止め金具本体と、
該抜止め金具本体の取付側の一端に臨まれる紐挿入孔内に嵌脱可能に挿入される対向した可撓脚部とを備え、
前記抜止め金具本体の前記紐挿入孔の他端側から挿入される紐を前記可撓脚部が挟着し、
前記可撓脚部が、取付側の一端に臨まれる前記紐挿入孔内に嵌脱可能な鍔付きのキャップ部を基端側に有し、その先端側には前記抜止め金具本体内への挿入時に、該抜止め金具本体の内周壁面の押圧にて半径方向に縮径し、前記紐挿入孔の他端から挿入される紐の先端部外周に係脱可能に食い込む係止爪を内側に向けて有していることを特徴とする。
【０００７】
また、本考案の請求項２に記載の考案は、請求項１において、前記内側壁面が、前記抜止め金具本体の内周に、一端側、および他端側から軸長方向の略中間に向かって次第に勾配が増大して前記抜止め金具本体の前記可撓脚部が摩擦係合可能に全体が略山形の斜面部に形成されたことを特徴とする。
【０００８】
また、本考案の請求項３に記載の考案は、請求項１または２において、前記抜止め金具本体が、その外形は円筒形、または、三角形、四角形、五角形、六角形、八角形等の多角形の何れかに形成され、前記紐挿入孔は横断面略円形に形成されることを特徴とする。
【０００９】
また、本考案の請求項４に記載の考案は、請求項１または２において、前記抜止め金具本体が、その外形は横断面ロ形に形成され、前記紐挿入孔は横断面が平紐を挿入可能に横断面がロ形に形成されることを特徴とする。
【００１０】
また、本考案の請求項５に記載の考案は、請求項１−４の何れかにおいて、前記キャップ部が、前記可撓脚部の上端相互を連結する連結片部に小径な取付首部が嵌着されて取り付けられることを特徴とする。
【考案の効果】
【００１１】
本考案の請求項１に記載の考案によれば、筒状の抜止め金具本体と、該抜止め金具本体の取付側の一端に臨まれる紐挿入孔内に嵌脱可能に挿入される対向した可撓脚部とを備え、前記抜止め金具本体の前記紐挿入孔の他端側から挿入される紐を前記可撓脚部が挟着し、前記可撓脚部が、取付側の一端に臨まれる前記紐挿入孔内に嵌脱可能な鍔付きのキャップ部を基端側に有し、その先端側には前記抜止め金具本体内への挿入時に、該抜止め金具本体の内周壁面の押圧にて半径方向に縮径し、前記紐挿入孔の他端から挿入される紐の先端部外周に係脱可能に食い込む係止爪を内側に向けて有していることを特徴とするので、抜止め金具本体内への紐の挿入、取付作業が短時間のうちに作業効率良く、確実に行える。また、可撓脚部には、抜止め金具本体の取付側の一端に臨まれる前記紐挿入孔内に嵌脱可能な鍔付きのキャップ部が設けられているので、このキャップ部により紐挿入孔内に挿入されて取付けられる紐が、下方より見えるという、外観的な不体裁がなく、デザイン的な装飾性に優れ、しかも、ゴミが侵入し易かったり、長期間の使用により紐を形成する繊維の解れが抜止め体の外部に露出することがなく抜止め金具本体が抜け落ちることなく、紐に取付けることができる。さらには、抜止め金具本体、およびキャップ部はダイカスト加工され、可撓脚部はプレス成形により形成されるので、製作、加工が容易で製作コストが安価になる。
【００１２】
また、本考案の請求項２に記載の考案によれば、前記内周壁面が、前記抜止め金具本体の内周に、一端側、および他端側から軸長方向の略中間に向かって次第に勾配が増大して前記抜止め金具本体の前記可撓脚部が摩擦係合可能に全体が山形の斜面部に形成されたことを特徴とするので、紐の両先端部に抜止め金具本体を取付けるのには、先ず、筒状の抜止め金具本体内に設けた紐挿入孔の一端から紐を挿通し、この紐の先端部を対向する可撓脚部間に差し込んでおく。その後、紐の先端部を差し込んだまま対向する可撓脚部を筒状の抜止め金具本体の取付側の一端に臨まれる前記紐挿入孔内に強挿すると、抜止め金具本体の内周に、一端側、および他端側から軸長方向の略中間に向かって次第に勾配が増大する全体が山形の斜面部が形成されているので、紐の先端部が差し込まれている対向する可撓脚部は、取付端からの斜面部の勾配が増大するのに伴ってばね性に抗して半径方向に対向して窄まって縮径され、可撓脚部の先端部内側に設けた係止爪が紐の端部外周に食い込んで行く。それから、可撓脚部の先端部外周が、抜止め金具本体の内周に、一端側から軸長方向の略中間に向かって次第に勾配が増大する斜面部の最頂部を乗り越えると、今度は抜止め金具本体の内周に他端側から中間部に向かって増大するように勾配が設けられ、この勾配は中間部から他端側に向かっては下り勾配に形成されるので、対向する可撓脚部はこの下り勾配の斜面部に倣ってばねの復元性により僅かに外周方向へ復元するため、係止爪が食い込んだまま、紐の先端部を挟着する。そして、可撓脚部は、筒状の抜止め金具本体の内周に、一端側から軸長方向の略中間に向かって次第に勾配が増大する斜面部と、他端側から中間部に向かって勾配が増大するように設けられた斜面部とにより、外周側から半径方向に押圧力を付与することにより全体が山形の前記斜面部に摩擦係合されるため、前記係止爪が食い込んだ可撓脚部により紐の先端部を強固に挟着し、抜け止めをはかれることができる。
【００１３】
また、本考案の請求項３に記載の考案によれば、前記抜止め金具本体が、その外形は円筒形、または、三角形、四角形、五角形、六角形、八角形等の多角形の何れかに形成され、前記紐挿入孔は横断面略円形に形成されることを特徴とするので、抜止め金具本体内に設けられる紐挿入孔内に挿入される紐は丸紐であり、この丸紐を挿入して対向する可撓脚部により丸紐を摩擦係合して止め金具本体を取付けることができる。また、抜止め金具本体は、その外形は円筒形、または、三角形、四角形、五角形、六角形、八角形等の多角形の何れかに形成されているので、デザインに変化が生まれ、装飾性に優れる。さらに、抜止め金具本体、およびキャップは、ダイカスト加工により容易に製作、加工が行え、多量に製作が可能であり、製作コストは安価になる。
【００１４】
また、本考案の請求項４に記載の考案によれば、請求項１または２において、前記抜止め金具本体が、その外形は横断面ロ形に形成され、前記紐挿入孔は横断面が平紐を挿入可能に横断面がロ形に形成されることを特徴とするので、抜止め金具本体内に設けられる紐挿入孔内に挿入される紐は平紐であり、この平紐を紐挿入孔内に挿入して対向する可撓脚部により摩擦係合して止め金具本体を取付けることができる。また、抜止め金具本体は、その外形は横断面ロ形に形成されているので、デザインに変化が生まれ、装飾性に優れる。さらに、抜止め金具本体は、ダイカスト加工により容易に製作、加工が行え、多量に製作が可能であるので、製作コストは安価になる。
【００１５】
また、本考案の請求項５に記載の考案によれば、前記キャップ部が、前記可撓脚部の上端相互を連結する連結片部に小径な取付首部が嵌着されて取り付けられることを特徴とするので、このキャップ部により、抜止め金具本体のみを使用した場合よりも重量が増大するため、重錘機能により紐の先端部を垂れ下げることにより紐の抜けを防止することができる。また、このキャップ部により紐挿入孔内に挿入されて取付けられる紐が、下方より見えるという、外観的な不体裁がなく、デザイン的な装飾性に優れ、しかも、ゴミが紐挿入孔内に侵入し易かったり、長期間の使用により紐を形成する繊維の解れが抜止め体の外部に露出することがない。さらには、抜け止め金具自体、製作、加工が容易で製作コストが安価であり、構造堅牢である。
【考案を実施するための最良の形態】
【００１６】
以下、図面に従って本考案の実施の最良の形態により、本考案の詳細を説明する。
【００１７】
[実施形態１]
図１は本考案の紐の抜け止め金具の実施形態１を示す断面図、図２は同じく抜止め金具本体を組付ける場合の断面図、図３は同じく図１のＡ−Ａ断面図である。
【００１８】
本考案の実施形態１は、筒状の抜止め金具本体１と、該抜止め金具本体１の取付側の一端１ａに臨まれる紐挿入孔２内に嵌脱可能に挿入される対向した可撓脚部４,４とを備え、前記抜止め金具本体１の前記紐挿入孔２の他端１ｂ側から挿入される紐３を前記可撓脚部４,４が挟着し、前記可撓脚部４,４が、取付側の一端に臨まれる前記紐挿入孔２内に嵌脱可能な鍔付きのキャップ部５を基端側に有し、その先端側には前記抜止め金具本体１内への挿入時に、該抜止め金具本体１の内周壁面６の押圧にて半径方向Ｒに縮径し、前記紐挿入孔２の他端から挿入される紐３の先端部外周に係脱可能に食い込む係止爪４ａ,４ａを内側に向けて有していることを特徴とする。
【００１９】
前記抜止め金具本体１が、本実施形態１では、図３に示すようにその外形は円筒形に形成され、前記紐挿入孔２は横断面略円形に形成される。従って、本実施形態１では、抜止め金具本体１内に設けた紐挿入孔２内に挿入される紐３は丸紐３Ａであり、この丸紐３Ａを挿入して対向する可撓脚部４,４により丸紐３Ａは摩擦係合して止め金具本体1を取付ける。この抜止め金具本体１は、金属材をダイカスト加工する等して容易に製作、加工が行える。
【００２０】
同様に前記可撓脚部４,４は、金属板を一体にプレス加工する等して形成され、可撓脚部４,４の上端相互は連結片部４ｂにより連結される。また、前記係止爪４ａ,４ａは、正面が内方へ略９０度折曲することにより形成され、前記係止爪４ａ,４ａの先端側は紐３の外周に食い込み易くし、脱落を阻止するために先鋭に形成される。この係止爪４ａ,４ａの折曲角度は、厳密に略９０度折曲することではなく、紐３の先端部３ａに対する食い込みと、不用意な抜け出しを阻止するという適当角度に設定すれば良く、その変更は容易である。
【００２１】
また、本実施形態１では、前記紐３は、両端の先端部３ａ,３ａに、抜止め金具本体１,１が取付けられることにより、例えば衣服の襟元を開閉する手段として使用するとか、衣服の脇やウェストの幅を広狭調節したりする手段として用いたり、または、襟元を飾るためのループタイとして使用され、紐３の先端部３ａ,３ａの外周に抜止め金具本体１,１が取付けられることにより、抜止め金具本体１,１の加重による重錘機能にて紐３の先端部３ａ,３ａを垂れ下げて抜けを防止し、装飾性が発揮される。
【００２２】
前記キャップ部５が、前記可撓脚部４,４の上端相互を連結する連結片部４ｂに小径な取付首部５ａを嵌着されることにより取り付けられる。このキャップ部５の連結片部４ｂに対する取付けは、取付首部５ａを嵌着することにより取付けが行われても良いし、そのほか、溶接したり、接着剤を用いて接着する等して取付けられてもよい。また、このキャップ部５は、金属により形成されるが、例えばビーズ、ガラス玉等の人造宝石や宝石、金、銀、プラチナ等の貴金属小片を付着するようにすればキャップ部５をそのまま使用に供する場合よりも装飾性を向上することができる。
【００２３】
前記内周壁面６が、前記抜止め金具本体１の内周に、一端１ａ側、および他端１ｂ側から軸長方向Ｉの略中間Ｎに向かって次第に勾配α,α′が増大して前記抜止め金具本体１の前記可撓脚部４,４が摩擦係合する全体が山形の斜面部８,８′に形成される。この斜面部８,８′の勾配α,α′は、可撓脚部４,４を抜止め金具本体１内に挿入し易く、しかも、不用意な抜け出しを阻止し易いように適当に選択される。
【００２４】
本実施形態１の紐３の抜け止め金具は以上の構成であり、以下、紐３の両先端部３ａ,３ａに抜止め金具本体1を取付けるのを作用とともに説明する。
【００２５】
先ず、筒状の抜止め金具本体1内に設けた紐挿入孔２に一端１ａから紐３の一方の先端部３ａを挿通し、この紐３の先端部３ａを対向する可撓脚部４,４間に差し込んでおく（図２参照）。
【００２６】
その後、紐３の先端部３ａが差し込まれたままの対向した可撓脚部４,４を、筒状の抜止め金具本体１の取付側の一端１ａに臨まれる前記紐挿入孔２内に強挿すると、この抜止め金具本体１の内周には、一端１ａ側、および他端１ｂ側から軸長方向Ｉの略中間Ｎに向かって次第に勾配α,α′が増大する全体に山形の斜面部８,８′の内周壁面６が形成されているので、紐３の先端部３ａが差し込まれている対向する可撓脚部４,４は、内周壁面６の取付側の一端１ａからの斜面部８の勾配αが増大するのに伴ってばね性に抗して半径方向Ｒに対向して窄まり、縮径されて行く。従って、可撓脚部４,４の先端の内側に対向して設けた係止爪４ａ,４ａが紐３の先端部３ａの外周に食い込んで行く。
【００２７】
それから、可撓脚部４,４の先端部が、抜止め金具本体１の一端１ａ側から軸長方向Ｉの略中間Ｎに向かって次第に勾配αが増大する一方の斜面部８の最頂部（最小径部分）を乗り越えると、今度は抜止め金具本体１の内周に他端１ｂ側から略中間Ｎに向かって増大するように勾配α′の斜面部８′が設けられ、すなわち、この斜面部８′の勾配α′は略中間Ｎから他端１ｂに向かっては下り勾配に形成されるので、対向する前記可撓脚部４,４は斜面部８′による半径方向Ｒへの押圧が緩められるため、この下り勾配の斜面部８′に倣ってばねの復元性により僅かに外周方向へ復元し、係止爪４ａ,４ａが食い込んだまま、可撓脚部４,４により紐３の先端部３ａは挟着される。
【００２８】
そして、対向する可撓脚部４,４が、筒状の抜止め金具本体１の内周に、一端側１ａから軸長方向Ｉの略中間Ｎに向かって次第に勾配αが増大する斜面部８と、他端１ｂ側から略中間１ｂに向かって勾配α′が増大するように設けられた内周壁面６の全体が山形をなす２つの前記斜面部８,８′とにより周囲から、そのばね力に抗して摩擦係合されて紐３の一方の先端部３ａを弾力的に挟着した状態で、抜止め金具本体１の取付けが行われる。また、紐３の他方の先端部３ａへ抜止め金具本体１を取付けるのにも、上記取扱いにより、上記手順に従い、紐３の他方の先端部３ａへ抜止め金具本体１を取付ける。
【００２９】
この際、対向する可撓脚部４,４は、筒状の抜止め金具本体１の内周に設けた内周壁面６の全体が山形の２つの前記斜面部８,８′により周囲から、そのばね力により半径方向Ｒに押圧力を付与されながら斜面部８,８′に、弾力的に摩擦係合されるとともに係止爪４ａ,４ａが先端部３ａの外周に食い込んで紐３の一方の先端部３ａを弾力的に挟着しているので、抜止め金具本体１から可撓脚部４,４の抜け出だしやがた付きがなく、しかも、紐３が可撓脚部４,４に対してずれ動いたり、抜け出すことなく、構造堅牢に紐３に抜止め金具本体１を取付けることができる。
【００３０】
このようにして、本実施形態の抜止め金具本体は、紐３の先端部３ａを挟持したまま、可撓脚部４,４を筒状の抜止め金具本体１の紐挿入孔２内に強挿するという簡単な取り扱いにより、紐３の両方の先端部３ａ,３ａの外周に抜止め金具本体１を取付けることができるが、特許文献１に記載の従来の紐の抜け止め体が、筒状の金具を紐体の両端に嵌着し、抜け止め体を紐の両端に取り付けるのに、紐体の両端に粘着テープを捲回することにより紐の繊維の解れを防止するのと、紐体を抜け止め体内に挿入する挿入作業を行い、接着剤を塗布して紐体の両端を抜け止め体内に挿入し、接着剤を固化させて紐体の両端に抜け止め体を取り付けているものとは異なり、紐体の両端への粘着テープの捲回工程、接着剤の塗布工程等の取付工程が不用になり、しかも、紐３の両端に抜け止め金具本体１を取り付けるのに接着剤が固化するのを待つ必要を生じないため、短時間にて作業効率が良く、かつ確実に紐３の先端部に抜止め金具本体１を取付けることができる。
【００３１】
また、本実施形態の抜止め金具本体１では、筒状の抜止め金具本体１の閉鎖側の一端１ａは、紐３の先端部３ａの外周を挟着している対向する可撓脚部４,４の基端側に設けられた鍔付きのキャップ部５により紐挿入孔２の一端側の開口部が塞がれるので、特許文献１に記載の上記従来の紐の抜け止め体が、抜け止め体としての筒状の金具内に設けた紐挿入孔の下端が開口されたままになり、紐挿入孔内に挿入されて取付けられた紐が、下方より見え、外観的に不体裁であったり、ゴミが侵入し易かったり、長期間の使用により紐を形成する繊維の解れが止め体の外部に露出するのとは異なり、紐挿入孔２内に挿入されて取付けられる紐３が、下方より見えるという、外観的な不体裁がなく、デザイン的な装飾性に優れ、しかも、ゴミが侵入が阻止され、長期間の使用により紐を形成する繊維の解れが止め体の外部に露出することがなく、抜止め金具本体１が抜け落ちることなく、紐３に取付けることができる。また、キャップ部５、および抜止め金具本体１に、例えばビーズ、ガラス玉等の人造宝石や宝石を付着しておけば装飾性を向上することができる。
【００３２】
さらには、抜止め金具本体１、およびキャップ部５は、ダイカスト加工され、また、可撓脚部４,４はプレス成形される等するので、製作、加工が容易で製作コストが安価であり、構造堅牢である。
【００３３】
[実施形態２]
図４に示すものは本考案の紐の抜け止め金具を示す実施形態２であり、この実施形態２では、前記抜止め金具本体１が、その外形は横断面ロ形に形成され、前記紐挿入孔２は横断面が平紐３Ｂを挿入可能に横断面がロ形に形成される点が異なる構成であり、抜止め金具本体１内に設けられる紐挿入孔２内に挿入される紐３は平紐３Ｂであり、この平紐３Ｂを挿入して対向する可撓脚部４,４により係着して止め金具本体1を紐３の先端部３ａに取付けることができる点が前記実施形態１とは異なる構成、作用であるほかは、前記実施形態と同様の構成、作用である。
【００３４】
また、前記実施形態１では、図１ないし図３に示すようにその外形は円筒形に形成され、前記紐挿入孔２は横断面略円形に形成されるが、抜止め金具本体１の外形は図示のものに限ることなく、図には示さないが、例えば三角形、四角形、五角形、六角形、八角形等の多角形の何れかに形成されて外形が変更される場合にも、抜止め金具本体１の横断面略円形の紐挿入孔２内に挿入される紐３は丸紐３Ａが使用され、この丸紐３Ａを挿入して対向する可撓脚部４,４により係着して止め金具本体１を取付けることができる。また、抜止め金具本体１は、その外形は円筒形、または、三角形、四角形、五角形、六角形、八角形等の多角形の何れかに形成されているので、デザインに変化が生まれ、装飾性に優れたものになる。
【産業上の利用可能性】
【００３５】
本考案は、抜止め金具本体内への紐の挿入、取付作業が短時間のうちに作業効率良く、確実に行え、また、紐挿入孔内に挿入されて取付けられる紐が、下方より見えるという、外観的な不体裁がなく、デザイン的な装飾性に優れ、しかも、ゴミが侵入し易かったり、長期間の使用により紐を形成する繊維の解れが抜止め金具本体の外部に露出することがなく構造堅牢に抜け止め体を取付けることができ、さらには、製作、加工が容易で製作コストが安価であり、構造堅牢な用途・機能に適する。
【図面の簡単な説明】
【００３６】
【図１】図１は本考案の紐の抜け止め金具の実施形態１を示す断面図である。
【図２】図２は同じく抜止め金具本体を組付ける場合の断面図である。
【図３】図３は同じく図１のＡ−Ａ断面図である。
【図４】図４は同じく本考案の紐の抜け止め金具の実施形態２を示す断面図である。
【符号の説明】
【００３７】
１      抜止め金具本体
１ａ    取付側の一端
１ｂ    他端
２      紐挿入孔
３      紐
４      可撓脚部
５      キャップ
６      内周壁面
８      斜面部
８′    斜面部
Ｉ      軸長方向
Ｎ      略中間
Ｒ      半径方向
【図１】
0003134101.tif 000003
【図２】
0003134101.tif 000004
【図３】
0003134101.tif 000005
【図４】
0003134101.tif 000006